(57)【要約】【課題】電圧が印加されて圧電素子が撓むときに、圧電素子が振動板から受ける長手方向の引張応力に起因する圧電素子のクラック発生を、確実に防止することができるアクチュエータと、それを用いた液体噴射ヘッド及び液体噴射装置を提供する。【解決手段】基板上に配設された振動板と、前記振動板上に配設された下電極６０と前記下電極６０上に配設された圧電体層７０と前記圧電体層７０上に配設された上電極８０とで構成された圧電素子３００とを具備し、前記圧電体層７０には、当該圧電体層７０を実質的に分離する深さを有する凹部７１が幅方向に亘って設けられているとともに、当該凹部７１が前記圧電体層７０の長手方向に所定の間隔で複数設けられており、前記上電極８０は、前記圧電体層７０の前記凹部７１内にも連続的に形成する。【選択図】図３
2009018551.tif 000002
【特許請求の範囲】
【請求項１】
基板上に配設された振動板と、前記振動板上に配設された下電極と前記下電極上に配設された圧電体層と前記圧電体層上に配設された上電極とで構成された圧電素子とを具備し、
前記圧電体層には、当該圧電体層を実質的に分離する深さを有する凹部が幅方向に亘って設けられているとともに、当該凹部が前記圧電体層の長手方向に所定の間隔で複数設けられており、前記上電極は、前記圧電体層の前記凹部内にも連続的に形成されていることを特徴とするアクチュエータ。
【請求項２】
請求項１に記載のアクチュエータにおいて、前記凹部内には、前記圧電体層より誘電率が低い低誘電体層が設けられ、当該凹部の底面部分が、前記低誘電体層で覆われており、前記上電極が前記圧電体層上及び前記低誘電体層上に連続的に形成されていることを特徴とするアクチュエータ。
【請求項３】
請求項２に記載のアクチュエータにおいて、前記凹部が前記圧電体層の厚さ方向に貫通して設けられ、前記圧電体層が当該凹部で完全に分離されていることを特徴とするアクチュエータ。
【請求項４】
請求項２又は請求項３に記載のアクチュエータにおいて、前記圧電体層の前記凹部の側面部分が、前記低誘電体層でさらに覆われていることを特徴とするアクチュエータ。
【請求項５】
請求項２又は請求項３に記載のアクチュエータにおいて、前記低誘電体層が、前記下電極上に前記圧電素子の長手方向に亘って連続的に形成され、前記低誘電体層上に前記圧電体層が配設されていることを特徴とするアクチュエータ。
【請求項６】
請求項２〜４の何れか一項に記載のアクチュエータにおいて、前記低誘電体層が絶縁性を有する材料からなることを特徴とするアクチュエータ。
【請求項７】
液体を噴射するノズル開口に連通する圧力発生室を具備する流路形成基板と、当該流路形成基板の前記圧力発生室に対向する領域に配設された請求項１〜６の何れか一項に記載のアクチュエータとを具備することを特徴とする液体噴射ヘッド。
【請求項８】
請求項７に記載の液体噴射ヘッドを具備することを特徴とする液体噴射装置。
【発明の詳細な説明】
【技術分野】
【０００１】
本発明は、基板上に配設された振動板と圧電素子とで構成されたアクチュエータとそれを用いた液体噴射ヘッド及び液体噴射装置に関する。
【背景技術】
【０００２】
基板上に配設された振動板と圧電素子とで構成されたアクチュエータが知られており、こうしたアクチュエータを利用した液体噴射ヘッドの一例として、ピエゾ方式のインクジェット式記録ヘッドが広く知られている。
【０００３】
ピエゾ方式のインクジェット式記録ヘッドとして、インク滴を吐出するノズル開口と連通する圧力発生室の一部を振動板で構成し、この振動板を圧電素子により変形させて圧力発生室のインクを加圧してノズル開口からインク滴を吐出させるインクジェット式記録ヘッドが知られており、長手方向に伸長、収縮する縦振動モードの圧電素子を具備したアクチュエータを用いたインクジェット式記録ヘッドと、圧電素子の短手方向（幅方向）に伸長、収縮するたわみ振動モードの圧電素子を具備したアクチュエータを用いたインクジェット式記録ヘッドが実用化されている。
【０００４】
たわみ振動モードの圧電素子の圧電素子を具備したアクチュエータでは、電圧が印加されると短手方向（幅方向）には変形を起こすが、長手方向には、振動板によって変形が制限されている。したがって圧電素子は、電圧が印加されると振動板から長手方向に強い引張応力を受け、この引張応力が原因となって、圧電体層に、圧電素子の短手方向に沿ったクラックが発生し、圧電素子が破壊してしまうという問題がある。
【０００５】
なお、たわみ振動モードの圧電素子を具備したアクチュエータを用いたインクジェット式記録ヘッドとしては、圧電素子の圧電体層の上層部に凹部を形成し、圧電素子に残留する収縮応力を緩和させて、圧力発生室形成時に圧力発生室に対向する領域の振動板の初期変形を抑え、振動板の耐久性を向上させたインクジェット式記録ヘッドが提案されている（例えば、特許文献１参照）。
【０００６】
【特許文献１】特開平１１−１７９９０４号公報
【発明の開示】
【発明が解決しようとする課題】
【０００７】
特許文献１に記載の圧電素子には、圧電体層の長手方向に沿って凹部が形成されているものがあるが、この構成では、振動板から受ける引張応力は特に減少せずに圧電素子に加わる。このため、振動板から受ける引張応力に起因する圧電素子のクラック発生を防止することはできない。また特許文献１に記載の圧電素子には、圧電体層の幅方向に凹部が形成されているものもあるが、この構成でも圧電素子にクラックが発生する虞がある。具体的には、圧電体層が残っている幅方向両端部で応力集中が発生するため、この部分でクラックが発生し、圧電素子が破壊してしまう虞がある。
【０００８】
また、特許文献１に記載の圧電素子では、凹部が圧電体層と上電極とに設けられ、圧電体層の表面が露出しているため、凹部内で圧電体層にクラックが発生してしまう虞がある。
【０００９】
なお、このような問題は、インクを吐出するインクジェット式記録ヘッドだけではなく、インク以外の液体を噴射する液体噴射ヘッドにおいても同様に存在する。
【００１０】
本発明はこのような事情に鑑みて発明されたものであり、電圧が印加されて圧電素子が撓むときに、圧電素子が振動板から受ける長手方向の引張応力に起因する圧電体層のクラック発生を、確実に防止することができるアクチュエータと、それを用いた液体噴射ヘッド及び液体噴射装置を提供することを目的とする。
【課題を解決するための手段】
【００１１】
上記課題を解決する本発明の態様は、基板上に配設された振動板と、前記振動板上に配設された下電極と前記下電極上に配設された圧電体層と前記圧電体層上に配設された上電極とで構成された圧電素子とを具備し、前記圧電体層には、当該圧電体層を実質的に分離する深さを有する凹部が幅方向に亘って設けられているとともに、当該凹部が前記圧電体層の長手方向に所定の間隔で複数設けられており、前記上電極は、前記圧電体層の前記凹部内にも連続的に形成されていることを特徴とするアクチュエータにある。
かかる態様では、圧電体層に凹部が形成されている部分は、電圧が印加されても実質的に駆動しない非駆動部として機能し、圧電体層に凹部が形成されていない部分は駆動部として機能する。これにより電圧が印加されて圧電素子が撓むときに、圧電素子が振動板から受ける長手方向の引張応力は緩和されるようになり、この引張応力に起因する圧電体層のクラック発生を確実に防止することができる。さらに凹部内にも上電極が配設されているので、凹部内の圧電体層のクラック発生を確実に防止することができる。
【００１２】
ここで、前記凹部内には、前記圧電体層より誘電率が低い低誘電体層が設けられ、当該凹部の底面部分が、前記低誘電体層で覆われており、前記上電極が前記圧電体層上及び前記低誘電体層上に連続的に形成されていることが好ましい。これによれば、圧電素子の非駆動部では低誘電体層にほとんどの電圧がとられ、圧電体層にはほとんど電圧がかからなくなるので、非駆動部の圧電体層の電界強度は大幅に減少する。したがって、圧電素子の非駆動部の圧電体層からのクラックの発生を防止することができる。
【００１３】
また、前記凹部が前記圧電体層の厚さ方向に貫通して設けられ、前記圧電体層が当該凹部で完全に分離されていることが好ましい。これによれば、圧電素子の非駆動部の圧電体層が完全に除去されている。したがって圧電素子の非駆動部の圧電体層からのクラックの発生を確実に防止することができる。
【００１４】
また、前記圧電体層の前記凹部の側面部分が、前記低誘電体層で覆われていることが好ましい。これによれば、圧電体層の凹部の側面部分での電界集中を防止することができ、圧電体層の凹部の側面部分からのクラック発生を確実に防止することができる。
【００１５】
また、前記低誘電体層が、前記下電極上に前記圧電素子の長手方向に亘って連続的に形成され、前記低誘電体層上に前記圧電体層が配設されているが好ましい。これによれば、低誘電体層を比較的容易に形成することができ、圧電素子の変位も確保される。
【００１６】
また、前記低誘電体層が絶縁性を有する材料からなることが好ましい。これによれば、圧電素子の非駆動部の圧電体層には電圧がかからなくなるので、圧電素子の非駆動部は完全に変位しなくなる。したがって、電圧が印加されて圧電素子が撓むときに、圧電素子が振動板から受ける長手方向の引張応力はさらに緩和され、この引張応力に起因する圧電体層のクラック発生をより確実に防止することができる。
【００１７】
さらに、本発明の他の態様は、液体を噴射するノズル開口に連通する圧力発生室を具備する流路形成基板と、当該流路形成基板の前記圧力発生室に対向する領域に配設された上記態様のアクチュエータとを具備することを特徴とする液体噴射ヘッドにある。
かかる態様では、耐久性が向上した液体噴射ヘッドを実現することができる。
【００１８】
また、本発明の他の態様は、上記態様の液体噴射ヘッドを具備することを特徴とする液体噴射装置にある。
かかる態様では、信頼性を大幅に向上させた液体噴射装置を実現することができる。
【発明を実施するための最良の形態】
【００１９】
以下、本発明の実施の形態を図面に基づき詳細に説明する。
（実施形態１）
図１は、本実施形態に係る液体噴射ヘッドの一例であるインクジェット式記録ヘッドの概略構成を示す分解斜視図であり、図２は、図１の平面図及び圧力発生室の長手方向の断面図である。
【００２０】
図示するように、流路形成基板１０は、本実施形態では結晶面方位が（１１０）面のシリコン単結晶基板からなり、その一方の面には予め熱酸化によって二酸化シリコンからなる弾性膜５０が形成されている。
【００２１】
流路形成基板１０には、他方面側から異方性エッチングすることにより、複数の隔壁１１によって区画された圧力発生室１２がその幅方向（短手方向）に並設されている。また、流路形成基板１０の圧力発生室１２の長手方向一端部側には、インク供給路１３と連通路１４とが隔壁１１によって区画されている。また、連通路１４の一端には、各圧力発生室１２の共通のインク室（液体室）となるリザーバ１００の一部を構成する連通部１５が形成されている。すなわち、流路形成基板１０には、圧力発生室１２、インク供給路１３、連通路１４、及び連通部１５からなる液体流路が設けられている。
【００２２】
インク供給路１３は、圧力発生室１２の長手方向一端部側に連通し且つ圧力発生室１２より小さい断面積を有する。例えば、本実施形態では、インク供給路１３は、リザーバ１００と各圧力発生室１２との間の圧力発生室１２側の流路を幅方向に絞ることで、圧力発生室１２の幅より小さい幅で形成されており、連通路１４から圧力発生室１２に流入するインクの流路抵抗を一定に保持している。なお、このように、本実施形態では、流路の幅を片側から絞ることでインク供給路１３を形成したが、流路の幅を両側から絞ることでインク供給路を形成してもよい。また、流路の幅を絞るのではなく、厚さ方向から絞ることでインク供給路を形成してもよい。さらに、各連通路１４は、インク供給路１３の圧力発生室１２とは反対側に連通し、インク供給路１３の幅方向（短手方向）より大きい断面積を有する。本実施形態では、連通路１４を圧力発生室１２と同じ断面積で形成した。
【００２３】
すなわち、流路形成基板１０には、圧力発生室１２と、圧力発生室１２の短手方向の断面積より小さい断面積を有するインク供給路１３と、このインク供給路１３に連通するとともにインク供給路１３の短手方向の断面積よりも大きい断面積を有する連通路１４とが複数の隔壁１１により区画されて設けられている。
【００２４】
また、流路形成基板１０の開口面側には、各圧力発生室１２のインク供給路１３とは反対側の端部近傍に連通するノズル開口２１が穿設されたノズルプレート２０が、接着剤や熱溶着フィルム等によって固着されている。なお、ノズルプレート２０は、例えば、ガラスセラミックス、シリコン単結晶基板、ステンレス鋼等からなる。
【００２５】
一方、流路形成基板１０の開口面とは反対側には、上述したように、二酸化シリコンからなる弾性膜５０が形成され、この弾性膜５０上には、酸化ジルコニウム（ＺｒＯ２）等からなる絶縁体膜５５が積層形成されている。
【００２６】
また、この絶縁体膜５５上には、例えば白金（Ｐｔ）やイリジウム（Ｉｒ）等からなる下電極膜６０と、圧電材料の一例であるチタン酸ジルコン酸鉛（ＰＺＴ）等からなる圧電体層７０と、例えば白金（Ｐｔ）やイリジウム（Ｉｒ）等からなる上電極膜８０とが積層形成されて、圧電素子３００を構成している。ここで、圧電素子３００は、下電極膜６０、圧電体層７０及び上電極膜８０を含む部分をいう。
【００２７】
一般的には、圧電素子３００の何れか一方の電極を共通電極とし、他方の電極及び圧電体層７０を各圧力発生室１２毎にパターニングして構成する。
【００２８】
本実施形態では、図１、図２に示すように、下電極膜６０を複数の圧力発生室１２に対向する領域に亘って連続して設けることで、複数の圧電素子３００の共通電極とし、上電極膜８０及び圧電体層７０を各圧電素子３００毎に切り分けることで、上電極膜８０を各圧電素子３００の個別電極としている。
【００２９】
なお、圧電素子３００と当該圧電素子３００の駆動により変位が生じる振動板とを合わせてアクチュエータと称する。上述した例では、弾性膜５０、絶縁体膜５５及び下電極膜６０が振動板として作用するが、弾性膜５０、絶縁体膜５５を設けずに、下電極膜６０のみを残して下電極膜６０を振動板としてもよい。
【００３０】
また、圧電素子３００の個別電極である各上電極膜８０には、インク供給路側の端部近傍から引き出され、絶縁体膜５５上まで延設される、例えば、金（Ａｕ）等からなるリード電極９０が接続されている。
【００３１】
このような圧電素子３００が形成された流路形成基板１０上、すなわち、下電極膜６０、弾性膜５０及びリード電極９０上には、リザーバ１００の少なくとも一部を構成するリザーバ部３１を有する保護基板３０が接着剤３５によって接合されている。リザーバ部３１は、本実施形態では、保護基板３０を厚さ方向に貫通して圧力発生室１２の幅方向に亘って形成されており、上述のように流路形成基板１０の連通部１５と連通されて各圧力発生室１２の共通のインク室となるリザーバ１００を構成している。また、流路形成基板１０の連通部１５を圧力発生室１２毎に複数に分割して、リザーバ部３１のみをリザーバとしてもよい。さらに、例えば、流路形成基板１０に圧力発生室１２のみを設け、流路形成基板１０と保護基板３０との間に介在する部材（例えば、弾性膜５０、絶縁体膜５５等）にリザーバと各圧力発生室１２とを連通するインク供給路１３を設けるようにしてもよい。
【００３２】
また、保護基板３０の圧電素子３００に対向する領域には、圧電素子３００の運動を阻害しない程度の空間を有する圧電素子保持部３２が設けられている。圧電素子保持部３２は、圧電素子３００の運動を阻害しない程度の空間を有していればよく、当該空間は密封されていても、密封されていなくてもよい。
【００３３】
このような保護基板３０としては、流路形成基板１０の熱膨張率と略同一の材料、例えば、ガラス、セラミック材料等を用いることが好ましく、本実施形態では、流路形成基板１０と同一材料のシリコン単結晶基板を用いて形成した。
【００３４】
また、保護基板３０には、保護基板３０を厚さ方向に貫通する貫通孔３３が設けられている。そして、各圧電素子３００から引き出されたリード電極９０の端部近傍は、貫通孔３３内に露出するように設けられている。
【００３５】
また、保護基板３０上には、並設された圧電素子３００を駆動するための駆動回路２００が固定されている。この駆動回路２００としては、例えば、回路基板や半導体集積回路（ＩＣ）等を用いることができる。そして、駆動回路２００とリード電極９０とは、ボンディングワイヤ等の導電性ワイヤからなる接続配線１２１を介して電気的に接続されている。
【００３６】
また、このような保護基板３０上には、封止膜４１及び固定板４２とからなるコンプライアンス基板４０が接合されている。ここで、封止膜４１は、剛性が低く可撓性を有する材料（例えば、厚さが６μｍのポリフェニレンサルファイド（ＰＰＳ）フィルム）からなり、この封止膜４１によってリザーバ部３１の一方面が封止されている。また、固定板４２は、金属等の硬質の材料（例えば、厚さが３０μｍのステンレス鋼（ＳＵＳ）等）で形成される。この固定板４２のリザーバ１００に対向する領域は、厚さ方向に完全に除去された開口部４３となっているため、リザーバ１００の一方面は可撓性を有する封止膜４１のみで封止されている。
【００３７】
このような本実施形態のインクジェット式記録ヘッドでは、図示しない外部インク供給手段と接続したインク導入口からインクを取り込み、リザーバ１００からノズル開口２１に至るまで内部をインクで満たした後、駆動回路２００からの記録信号に従い、圧力発生室１２に対応するそれぞれの下電極膜６０と上電極膜８０との間に電圧を印加し、弾性膜５０、絶縁体膜５５、下電極膜６０及び圧電体層７０をたわみ変形させることにより、各圧力発生室１２内の圧力が高まりノズル開口２１からインク滴が吐出する。
【００３８】
以下より、上述したインクジェット式記録ヘッドのアクチュエータ部分について詳細に説明する。
【００３９】
図３（ａ）は、本実施形態に係るインクジェット式記録ヘッドのアクチュエータ部分の断面図であり、図３（ｂ）は、本実施形態に係るインクジェット式記録ヘッドのアクチュエータ部分の外観斜視図である。
【００４０】
これらの図に示すように、本実施形態に係るアクチュエータは、振動板を構成する弾性膜５０及び絶縁体膜５５と、圧電素子３００を構成する下電極膜６０、圧電体層７０及び上電極膜８０とで構成されている。なお上述したとおり、下電極膜６０は、振動板としても機能する。
【００４１】
そして、圧電素子３００の圧電体層７０には、圧電素子の長手方向に沿って、複数、本実施形態では２カ所、凹部７１が設けられている。これらの凹部７１はそれぞれ、圧電体層７０を実質的に分離する深さで、圧電素子３００の幅方向に亘って連続して設けられている。
【００４２】
本実施形態では、圧電体層７０の各凹部７１内にも上電極膜８０が連続的に配設されているが、この圧電体層７０に凹部７１が形成された部分の圧電素子３００は、両電極間に電圧が印加されても実質的に駆動されない。つまり各凹部７１下側の圧電体層７０は、厚さが極めて薄いため、この圧電体層７０に凹部７１が形成されている部分の変位は、圧電素子３００の変位に実質的に影響しない程度のものである。
【００４３】
したがって、本実施形態に係るアクチュエータの圧電素子３００は、電圧が印加されることで変位する駆動部と、電圧が印加されても実質的に駆動しない非駆動部とが圧電素子の長手方向で交互に並設されてなる。
【００４４】
ここで、圧電素子３００の駆動部は、電圧を印加することで圧電素子の幅方向では振動板と共に変形するが、圧電素子の長手方向では振動板によって変形が規制されてしまう。したがって、圧電素子の駆動部は、圧電素子の長手方向で振動板から引張応力を受け、この引張応力に起因してクラックが発生し易い。
【００４５】
しかしながら、本発明に係る圧電素子３００は、上述したように、その長手方向で駆動部と非駆動部とが交互に並設されてなるため、クラックの発生が抑えられる。つまり、圧電素子３００の長手方向において、各駆動部の両側には非駆動部（凹部）が存在するため、各駆動部にかかる引張応力は、大幅に緩和される。すなわち圧電素子３００全体に係る長手方向の引張応力は大幅に緩和され、この引張応力に起因する圧電体層７０のクラック発生を防止することができる。
【００４６】
なお凹部７１は、圧電素子３００の幅方向に亘って連続して形成されている必要がある。これは例えば、凹部７１を圧電素子３００の幅方向の一部に形成するようにした場合、圧電体層７０が残っている部分に応力集中が発生し、そこからクラックが発生してしまう虞があるからである。
【００４７】
また、凹部７１が形成された部分の圧電体層７０は、その厚さが極めて薄いため、特にクラックが発生しやすい。しかしながら凹部７１内の圧電体層７０上にも金属材料からなる上電極膜８０を連続的に形成することで、圧電体層７０にクラックが発生するのを防止することができる。
【００４８】
また、本実施形態に係るアクチュエータは、圧電体層７０に２カ所、凹部７１を設けるようにしたが、もちろん３カ所以上設けるようにしても構わない。また、圧電体層７０に凹部７１を３カ所以上設ける場合、各凹部７１の間隔は一定であってもよいが、圧電素子３００にかかる引張応力に応じて適宜決定すればよい。例えば、引張応力を受けやすい部分に形成する凹部７１の間隔は、他の部分に形成される凹部７１の間隔よりも短くするようにしてもよい。
【００４９】
また、アクチュエータの製造方法は、特に限定されないが、本実施形態では、次の手順で形成している。まず、流路形成基板１０上に弾性膜５０、絶縁体膜５５及び下電極膜６０を順次形成し、下電極膜６０を所定形状にパターニングする。次いで、下電極膜６０が形成された流路形成基板１０の全面に、例えば、ゾル−ゲル法等によって圧電体層７０を形成した後、圧電体層７０をエッチングすることにより所定形状にパターニングする。なお、本実施形態では、イオンミリングによって圧電体層７０をパターニングしている。このため、圧電体層７０の側面は、流路形成基板１０の表面に対して傾斜する傾斜面で構成されている（図３等参照）。そして、このように圧電体層７０をパターニングした後、流路形成基板１０の全面に上電極膜８０を形成し、上電極膜８０を所定形状にパターニングすることで圧電素子３００を形成している。
【００５０】
（実施形態２）
本実施形態は、アクチュエータ部分の変形例である。なお、アクチュエータ部分以外は実施形態１と同様であり、説明は省略する。また実施形態１のアクチュエータと同一部材には同一符号を付し、重複する説明は省略する。
【００５１】
図４（ａ）は、本発明の第２の実施形態に係るアクチュエータの断面図である。
【００５２】
この図に示すように、本実施形態に係るアクチュエータは、低誘電体層７２が下電極膜６０上に圧電素子３００の長手方向に亘って連続的に形成されており、低誘電体層７２上に圧電体層７０が配設されている。なお、低誘電体層７２に用いられる低誘電材料は、圧電体層７０に用いられているチタン酸ジルコン酸鉛（ＰＺＴ）より、誘電率が低い材料からなる。例えば、圧電体層７０に用いられているチタン酸ジルコン酸鉛（ＰＺＴ）のジルコニウムの割合をさらに増加させたもの等を用いればよい。また圧電体層７０は凹部７１で厚さ方向に貫通されて完全に分離されており、圧電素子３００の非駆動部では、下電極膜６０と上電極膜８０との間に、低誘電体層７２のみが配設されている。
【００５３】
本実施形態に係るアクチュエータでは、凹部７１が形成されている部分が、圧電体層７０が完全に除去されていて、下電極膜６０と上電極膜８０との間に低誘電体層７２が配設されている。このような構成にしても、本実施形態に係るアクチュエータの圧電素子３００に、電圧が印加されたときに、凹部７１が形成されている部分は、実質的に駆動しないので、非駆動部として機能する。また凹部７１が形成されていない部分は、下電極膜６０上に低誘電体層７２が形成されているがその厚さは極めて薄く、この部分の変位には特に影響を与えることがない。したがって、凹部７１が形成されていない部分は、圧電素子３００の駆動部として機能する。
【００５４】
したがって、このような構成のアクチュエータにしても、電圧が印加されて圧電素子３００が撓むときに、圧電素子３００全体が振動板から受ける長手方向の引張応力は緩和され、この引張応力に起因する圧電体層７０のクラックの発生を確実に防止することができる。
【００５５】
なお図４（ａ）では、圧電素子３００の非駆動部の圧電体層７０は完全に除去されているが、図４（ｂ）に示すように、圧電体層７０が一部残っていても構わない。
【００５６】
この場合、圧電素子３００に電圧が印加されたときに、圧電素子３００の非駆動部では、低誘電体層７２にほとんどの電圧がとられるので、圧電素子３００の非駆動部の圧電体層７０にはほとんど電圧がかからず、圧電素子３００の非駆動部の圧電体層７０の電界強度は大幅に減少する。したがって、電圧が印加されたときに、圧電素子３００の非駆動部の圧電体層７０でのクラック発生を防止することができる。
【００５７】
なお本実施形態に係るアクチュエータは、下電極膜６０を形成した後に、低誘電体層７２と圧電体層７０とを順次形成し、所定形状にパターニングした後、上電極膜８０を流路形成基板１０の全面に形成して所定形状にパターニングすることで、作成することができる。
【００５８】
（実施形態３）
本実施形態は、実施形態２のアクチュエータの一部を変形させた例である。なお、アクチュエータ部分以外は実施形態２と同様であり、説明は省略する。また実施形態２のアクチュエータと同一部材には同一符号を付し、重複する説明は省略する。
【００５９】
図５は、本発明の第３の実施形態に係るアクチュエータの断面図である。
【００６０】
この図に示すように、本実施形態に係るアクチュエータは、圧電素子３００の非駆動部である、凹部７１の底面部分のみに低誘電体層７２が配設されている。
【００６１】
このように、凹部７１の底面部分のみに低誘電体層７２を配設するようにしても、電圧が印加されたときに圧電素子３００の非駆動部が変位する量は、第１の実施形態の圧電素子３００の非能動部が変位する量よりも小さくなる。したがって、振動板から受ける長手方向の引張応力に起因する圧電体層７０のクラック発生をより防止することができるアクチュエータを実現することができる。
【００６２】
また、本実施形態に係るアクチュエータの低誘電体層７２が、絶縁性を有する部材で形成されていてもよい。この場合、圧電素子３００の非駆動部は完全に変位しなくなるので、圧電素子３００全体が振動板から受ける長手方向の引張応力をより緩和させることができる。なお、絶縁性を有する部材としては、例えば、酸化ジルコニウム（ＺｒＯ２）等を用いればよい。
【００６３】
（実施形態４）
本実施形態は、実施形態３のアクチュエータの一部を変形させた例である。なお、アクチュエータ部分以外は実施形態３と同様であり、説明は省略する。また実施形態３のアクチュエータと同一部材には同一符号を付し、重複する説明は省略する。
【００６４】
図６（ａ）は、本発明の第４の実施形態に係るアクチュエータの断面図である。
【００６５】
この図に示すように、本実施形態に係るアクチュエータは、圧電体層７０の凹部７１内の側面部分にも、低誘電体層７２が配設されている。
【００６６】
ここで、圧電体層７０の凹部７１の側面部分に配設された上電極膜８０と、対向する下電極膜６０との間で、電界集中が起きる可能性がある。
【００６７】
しかしながら本実施形態に係るアクチュエータでは、凹部７１の側面部分にも低誘電体層７２が配設されているので、この部分での電界集中を防止することができ、圧電体層７０の凹部７１の側面部分からクラックが発生するのを確実に防止することができる。
【００６８】
また、本実施形態に係るアクチュエータは、低誘電体層７２で圧電体層７０の凹部７１の底面部分と側面部分が覆われていればよいので、図６（ｂ）に示すように、凹部７１内に低誘電体層７２が充填されていても構わない。
【００６９】
（他の実施形態）
以上のように、本発明の実施形態について説明したが、本発明はこれに限定されるものではない。
【００７０】
上記で説明したようなアクチュエータを具備したインクジェット式記録ヘッドは、インクカートリッジ等と連通するインク流路を具備する記録ヘッドユニットの一部を構成して、インクジェット式記録装置に搭載される。図７は、そのインクジェット式記録装置の一例を示す概略図である。
【００７１】
図７に示すように、インクジェット式記録ヘッドを有する記録ヘッドユニット１Ａ及び１Ｂは、インク供給手段を構成するカートリッジ２Ａ及び２Ｂが着脱可能に設けられ、この記録ヘッドユニット１Ａ及び１Ｂを搭載したキャリッジ３は、装置本体４に取り付けられたキャリッジ軸５に軸方向移動自在に設けられている。この記録ヘッドユニット１Ａ及び１Ｂは、例えば、それぞれブラックインク組成物及びカラーインク組成物を吐出するものとしている。
【００７２】
そして、駆動モータ６の駆動力が図示しない複数の歯車およびタイミングベルト７を介してキャリッジ３に伝達されることで、記録ヘッドユニット１Ａ及び１Ｂを搭載したキャリッジ３はキャリッジ軸５に沿って移動される。一方、装置本体４にはキャリッジ３に沿ってプラテン８が設けられている。このプラテン８は図示しない紙送りモータの駆動力により回転できるようになっており、給紙ローラなどにより給紙された紙等の記録媒体である記録シートＳがプラテン８に巻き掛けられて搬送されるようになっている。
【００７３】
なお、上述した実施形態では、液体噴射ヘッドの一例としてインクジェット式記録ヘッドを挙げて説明したが、本発明は広く液体噴射ヘッド全般を対象としたものであり、インク以外の液体を噴射する液体噴射ヘッドにも勿論適用することができる。その他の液体噴射ヘッドとしては、例えば、プリンタ等の画像記録装置に用いられる各種の記録ヘッド、液晶ディスプレー等のカラーフィルタの製造に用いられる色材噴射ヘッド、有機ＥＬディスプレー、ＦＥＤ（電界放出ディスプレー）等の電極形成に用いられる電極材料噴射ヘッド、バイオｃｈｉｐ製造に用いられる生体有機物噴射ヘッド等が挙げられる。
【図面の簡単な説明】
【００７４】
【図１】本発明の記録ヘッドの概略構成を示す分解斜視図である。
【図２】本発明の記録ヘッドの平面図及び断面図である。
【図３】本発明の実施形態１に係るアクチュエータの断面図及び外観図である。
【図４】本発明の実施形態２に係るアクチュエータの断面図である。
【図５】本発明の実施形態３に係るアクチュエータの断面図である。
【図６】本発明の実施形態４に係るアクチュエータの断面図である。
【図７】一実施形態に係るインクジェット式記録装置の一例を示す概略図である。
【符号の説明】
【００７５】
１０  流路形成基板、  １１  隔壁、  １２  圧力発生室、  １３  インク供給路、  １４  連通路、  １５  連通部、  ２０  ノズルプレート、  ２１  ノズル開口、  ３０  保護基板、  ３１  リザーバ部、  ３２  圧電素子保持部、  ３３  貫通孔、  ３５  接着剤、  ４０  コンプライアンス基板、  ４１  封止膜、  ４２  固定板、  ４３  開口部、  ５０  弾性膜、  ５５  絶縁体膜、  ６０  下電極膜、  ７０  圧電体層、  ７１  凹部、  ７２  低誘電体層、  ８０  上電極膜、  ９０  リード電極、  １００  リザーバ、  １２１  接続配線、  ２００  駆動回路、  ３００  圧電素子、
【図１】
2009018551.tif 000003
【図２】
2009018551.tif 000004
【図３】
2009018551.tif 000005
【図４】
2009018551.tif 000006
【図５】
2009018551.tif 000007
【図６】
2009018551.tif 000008
【図７】
2009018551.tif 000009